(57)【要約】【課題】電池の充電器への収納時に従来では電池の中央部のみをささえているために、電池が傾きやすく充電器の端子と電池の端子との接触が外れる可能性があった。【解決手段】電池の充電機能をもつ装置に電池の押し上げ操作体を持ち、充電器の回動体またはレバーと連動して可動する充電端子を備え、回動体またはレバーを開けることにより充電器端子と電池端子との接続が無くなり、回動体を閉めることにより充電器端子が電池端子との接続を確保することができる電池の充電器。【選択図】図１
2007257916.tif 000002
【特許請求の範囲】
【請求項１】
電池の充電機能をもつ装置の回動体に連動して電池の押し上げ機構を持つことを特徴とする充電器。
【請求項２】
上記回動体は、蓋であることを特徴とする請求項１記載の充電器。
【請求項３】
上記回動体は、レバーであることを特徴とする請求項１記載の充電器。
【請求項４】
上記回動体に回動することによって充電端子を充電する電池の端子に押し付けたり、離したりするリブを設けたことを特徴とする請求項１記載の充電器。
【請求項５】
複数の電池を搭載する充電器に対応するように、少なくとも１個の電池に前記押し上げ機構を設けたことを特徴とする請求項１記載の充電器。
【請求項６】
複数の電池を搭載する充電器に対応するように、前記押し上げ機構を１個置きに設置したことを特徴とする請求項５記載の充電器。
【請求項７】
上記回動体としての蓋に放熱孔を設けたことを特徴とする請求項２記載の充電器。
【請求項８】
上記回動体としての蓋に充電する電池を押し付ける突起部を設置したことを特徴とする請求項２記載の充電器。
【発明の詳細な説明】
【技術分野】
【０００１】
本発明は、充電器に関し、特に電池の取り出しを容易にした充電端子とを電気的に接続する機構に関するものである。
【背景技術】
【０００２】
近年、ポータブルオーディオやデジタルスチルカメラといった携帯可能な電子機器の市場が急速に伸びている。そんな中、携帯型電子機器に電源を供給するための充電型電池は重要な役割を担っている。
【０００３】
しかしながら、充電型電池用の充電器は単一動作で電池を脱着できるものが多いが、電池に掛かる充電端子からの接圧のために電池の着脱に力が必要であり、また、電池を４本充電することが可能な充電器においては、小型化のため電池間隔が狭く、電池に指を掛け難く、電池の取り出しが困難なものであった。
【０００４】
上述の課題を解決するために、従来は図１２に示すように、電池収納部の中央部に突起を設け、電池の片方を押すことによって、電池のもう片方を持ち上げて電池に指を掛け易くして電池の取り出しを行う方法（例えば、特許文献参照）が提案されている。
【特許文献１】特許第２７２９７７６号公報
【発明の開示】
【発明が解決しようとする課題】
【０００５】
しかしながら、図１２の方式では、電池収納時に電池の中央部下部のみを支えているため電池が傾き易く、充電器端子と電池端子との接触が外れる可能性があるため、接触安定性を確保し難いものであった。
【０００６】
本発明は、このような課題を解決するものであり、電池の脱着を容易に行うことができるように配慮した充電器を提供することを目的とする。
【課題を解決するための手段】
【０００７】
上記目的を達成するために本発明の充電器は、電池の充電機能をもつ装置に電池の押し上げ操作体を持つことを特徴としている。
【０００８】
また、回動体と連動して可動する充電端子を備え、回動体を開けることにより充電器端子と電池端子との接続が無くなり、回動体を閉めることにより充電器端子が電池端子との接続を確保することができる電池の充電器であって、充電端子を押し付ける突起部と電池を押し上げる操作体を備え、９０度から１８０度の間で回動自在な回動体を回転させることによって、電池の取り出しを容易にすることができることを特徴とする。
【０００９】
レバーと連動して可動する充電端子を備え、レバーを開けることにより充電器端子と電池端子との接続が無くなり、レバーを閉めることにより充電器端子が電池端子との接続を確保することができる電池の充電器であって、充電端子を押し付ける突起部と電池を押し上げる操作体を備え、９０度回動自在なレバーを回転させることによって、電池の取り出しを容易にすることができることを特徴とする。
【００１０】
上記充電器に複数の電池を搭載時、少なくとも1個の電池に前記押し上げ操作体を持つことを特徴とする。
【００１１】
上記充電器に複数の電池を搭載時、前記押し上げ操作体を電池設置の１個置きに設置したことを特徴とする。
【００１２】
負極充電端子と連動し、回動により負極充電端子を可動させて負極電池端子を押圧する突起部と電池を押し上げる操作体を備える９０度回動自在な回動体を備えることを特徴するものである。これによると、回動体を閉じることにより負極充電端子が負極電池端子との接続を確保することを可能とし、回動体を開けることにより負極充電端子と負極電池端子との接続がなくなり、回動体を回動させた状態では電池押し上げ操作体が電池を押し上げることによって電池の取り出しを容易にすることができると共に、製品の小型化を実現できる充電器を提供することができる。
【発明を実施するための最良の形態】
【００１３】
以下、本発明の実施形態について添付図面を参照して説明する。尚、各図において、同一の構成要素には同一の番号を付している。
【００１４】
図１は、本発明の実施形態に係る充電器の斜視図で、図２は充電器１の回動体４を９０度開いて電池収容部５を開放した状態を示している。この充電器１は、下ケース３と上ケース２とにより構成され、下ケース３の一部には開閉自在に回動体４としての電池カバーが形成され、回動体４を開いて開放される内部には、底面と水平に電池収納部５が設けられ、電池収容部５には４本の電池８と２本の異なる寸法の電池８とを収容できるように構成されている。
【００１５】
図３及び図４は、上記充電器１の電池収納部５に電池８を収納し、回動体４としての電池を９０度開いた状態（図３）と、回動体４を閉じた状態（図４）とを示す断面図である。回動体４は底面付近に回動軸を有し、回動により開閉自在となっている。図４に示すように、回動体４を閉じた状態において、回動体４は上ケース２の外周の一部を形成している。
【００１６】
図３に示すように、回動体４を９０度開いた状態で開放される電池収納部５の片側に設けられている負極充電端子７は電池８の下ケース３の底面を利用した負極とは接触しない状態となり、負極電池端子側が持ち上げられるので、回動体４を開いた状態では電池８の電池収納部５に対する着脱は容易となる。前記負極充電端子７は回動体４を閉じる回動に連動して正極充電端子６側に移動し、電池８を正極充電端子６に押し付けて正極電池端子８ａを正極充電端子６に接触させると共に、回動体４が閉じられた状態において電池８の負極電池端子８ｂに負極充電端子７が接触し、充電器１に電池８が電気的に接続される。
【００１７】
上記回動体４の開閉動作に連動した端子接続の詳細について、図５を参照して説明する。尚、図５は、負極充電端子７付近の部分断面図であり、（Ａ）から（Ｄ）の順に回動体４の開状態から閉状態に移行するときの負極充電端子７の変化形態を示している。
【００１８】
図５（Ａ）に示すように、開動体４が開かれて電池収納部５に電池８が収納されると、電池８は電池収納部５に静置される。このとき、負極充電端子７は後退位置にあって電池８には接触しない状態にある。図５（Ｂ）〜（Ｄ）の順に示すように、回動体４を閉じる方向に回動させると、負極充電端子７は回動体４の回動軸付近に設けられた負極充電端子押し付け突起部４ａに押圧され、先端部が電池８の負極電池端子８ｂに接触すると共に電池８を正極充電端子６に押し付ける方向に移動する。回動体４が完全に閉じられたとき、電池８はその負極電池端子８ｂが負極充電端子７に所要圧力で接触し、電池８の正極電池端子８ａが電池収納部５に設けられた正極充電端子６と接触する。
【００１９】
負極充電端子７は回動体４の負極充電端子の押し付け突起部４ａにより電池８を正極
充電端子６方向に押圧すると同時に、回動体４が完全に閉じられた状態においては負極充電端子７に押圧力を加えた状態が安定して保持され、電池８はその両端にある正極電池端子８ａ及び負極電池端子８ｂが十分な接触圧力で正極充電端子６及び負極充電端子７に接触するので、小さな接触抵抗で電気的接続がなされ、安定した接圧を確保して充電を実施することができる。
【００２０】
電池８との接触圧力は負極充電端子７のバネ弾性により与えられる。負極充電端子７はバネ弾性を有し、接触抵抗の小さい金属が望ましく、例えば、ニッケルメッキ鋼板や金メッキ鋼板、リン青銅などが好適である。
【００２１】
充電が完了した後、回動体４を開く方向に回動させると、負極充電端子押し付け突起部４ａが図５（Ｄ）から（Ａ）の逆順に変化する動きにより、負極充電端子７は図５（Ａ）に示す開動体４が開かれた状態で電池８の負極電池端子８ｂから離れ、負極充電端子７による押し付け力が解除された電池８は正極充電端子６との接触も開放されると共に、回動体４の一部に構成された電池押し上げ操作体９が電池の負極側外装部の一部分を押し上げるので、電池８の電池収納部５からの取り出しは極めて容易である。
【００２２】
上記構成による充電器１は、回動体４を開いて電池８を電池収納部５に収納し、回動体４を閉じて充電を開始することができるので、充電途中で電池８を取り出すためには回動体４を開く必要があり、回動体４を開くと正極及び負極の各充電端子６、７と電池８との接続が遮断されるので、誤って充電中に電池８を抜き出して端子間にスパークが発生し、それによって充電器１や電池８が損傷を受けることを防止することができる。
【００２３】
電池８は回動体を開けないと取り外しができないため、電池が単四型の場合には幼児が簡単に電池を充電器から取り出すことを防止できる。
【００２４】
以上説明した構成においては、電池８を電池収容部５に収容し、負極電池端子８ｂに接触する負極充電端子７を回動体４の９０度開閉に連動して移動させているが、正極、負極の位置関係を逆にすることも可能である。
【００２５】
また、以上説明した構成において、回動体４には孔４ｂが開けてあるが、これにより通気性が確保され、電池の熱を放出することができる。
【００２６】
図６及び図７は、上記充電器１の電池収納部５に電池８を収納し、開動体４を１８０度開いた状態（図６）と、回動体４を閉じた状態（図７）とを示す断面図である。回動体４は底面付近に回動軸を有し、回動により開閉自在となっている。図７に示すように、回動体４を閉じた状態において、回動体４は上ケース２の外周の一部を形成している。
【００２７】
図６に示すように、回動体４を１８０度開いた状態で開放される電池収納部５の片側に設けられている負極充電端子７は電池８の下端面とは接触しない状態となり、負極電池端子８ｂ側が持ち上げられるので、回動体４を開いた状態では電池８の電池収納部５に対する着脱は容易となる。前記負極充電端子７は回動体４を閉じる回動に連動して正極充電端子側に移動し、電池８を正極充電端子６に押し付けて正極電池端子８ａを正極充電端子６に接触させると共に、回動体４が閉じられた状態において電池８の負極電池端子８ｂに負極充電端子７が接触し、充電器１に電池８が電気的に接続される。
【００２８】
上記回動体４の回動動作に連動した端子接続の詳細について、図５と同様であるものとする。
【００２９】
上記構成になる充電器１は、回動体４を開いて電池８を電池収納部５に収納し、開動体
４を閉じて充電を開始することができるので、充電途中で電池８を取り出すためには回動体４を開く必要があり、回動体４を開くと正極及び負極の各充電端子６、７と電池８との接続が遮断されるので、誤って充電中に電池８を抜き出して端子間にスパークが発生し、それによって充電器１や電池８が損傷を受けることを防止することができる。電池８は回動体４を開けないと取り外しができないため、電池が単四型の場合には幼児が簡単に電池を充電器から取り出すことを防止できる。
【００３０】
以上説明した構成においては、電池８を電池収容部５に収容し、負極電池端子８ｂに接触する負極充電端子７を開動体４の１８０度開閉に連動して移動させているが、正極、負極の位置関係を逆にすることも可能である。
【００３１】
図８は、本発明の実施形態に係る充電器１の斜視図で、図９は充電器１の回動体４を９０度開いて電池収容部５を開放した状態を示している。この充電器１は、下ケース３と上ケース２とにより外装され、下ケースの一部には開閉自在にレバー１２が形成され、レバー１２を開いて開放される内部には、底面と水平に電池収納部５が設けられ、電池収容部５には４本の電池８と２本の異なる寸法の電池８とを収容できるように構成されている。
【００３２】
図１０及び図１１は、上記充電器１の電池収納部５に電池８を収納し、レバー１２を９０度開いた状態（図１１）と、レバー１２を閉じた状態（図１０）とを示す断面図である。レバー１２は底面付近に回動軸を有し、回動により開閉自在となっている。図１０に示すように、レバー１２を閉じた状態において、レバー１２は上ケース２の外周の一部を形成している。
【００３３】
図１１に示すように、レバー１２を９０度開いた状態で開放される電池収納部５の片側に設けられている負極充電端子７は二次電池８の下端面とは接触しない状態となり、負極電池端子側が持ち上げられるので、レバー１２を開いた状態では電池８の電池収納部５に対する着脱は容易となる。前記負極充電端子７はレバー１２を閉じる回動に連動して正極充電端子６側に移動し、電池８を正極充電端子６に押し付けて正極電池端子８ａを正極充電端子６に接触させると共に、レバー１２が閉じられた状態において電池８の負極電池端子８ｂに負極充電端子７が接触し、充電器１に電池８が電気的に接続される。
【００３４】
上記レバー１２の回動動作に連動した端子接続の詳細について、図５と同様であるものとする。
【００３５】
上記構成になる充電器１は、レバー１２を開いて電池８を電池収納部５に収納し、レバー１２を閉じて充電を開始することができるので、充電途中で電池８を取り出すためにはレバー１２を開く必要があり、レバー１２を開くと正極及び負極の各充電端子６、７と電池８との接続が遮断されるので、誤って充電中に電池８を抜き出して端子間にスパークが発生し、それによって充電器１や電池８が損傷を受けることを防止することができる。
【００３６】
以上説明した構成においては、電池８を電池収容部５に収容し、負極電池端子８ｂに接触する負極充電端子７をレバー１２の９０度開閉に連動して移動させているが、正極、負極の位置関係を逆にすることも可能である。
【産業上の利用可能性】
【００３７】
以上の説明の通り本発明によれば、電池や充電端子に擦り傷を生じさせることなく確実な接触状態を安定的に維持して電池との接続状態が得られるので、ニッケル水素蓄電池やリチウムイオン電池等を急速で充電する充電器に好適である。
【図面の簡単な説明】
【００３８】
【図１】本発明の実施形態に係る充電器の構成を示す斜視図
【図２】同充電器の回動体を開いた状態を示す斜視図
【図３】同充電器の回動体を開いた状態を示す断面図
【図４】同充電器の回動体を閉じた状態を示す断面図
【図５】（Ａ）〜（Ｄ）回動体の開閉動作に伴う端子の変化を順を追って説明する部分断面図
【図６】同充電器の回動体を開いた状態を示す断面図
【図７】同充電器の回動体を閉じた状態を示す断面図
【図８】本発明の実施形態に係る充電器の構成を示す斜視図
【図９】同充電器のレバーを開いた状態を示す斜視図
【図１０】同充電器のレバーを開いた状態を示す断面図
【図１１】同充電器のレバーを閉じた状態を示す断面図
【図１２】従来例の充電器の構成を示す斜視図
【符号の説明】
【００３９】
１    充電器
２    上ケース
３    下ケース
４    回動体
４ａ  負極充電端子押し付け突起部
４ｂ  孔
５    電池収納部
６    正極充電端子
７    負極充電端子
８    二次電池
８ａ  正極電池端子
８ｂ  負極電池端子
９    電池押し上げ操作体
１０  回動支持軸
１１  プリント基板
１２  レバー
【図１】
2007257916.tif 000003
【図２】
2007257916.tif 000004
【図３】
2007257916.tif 000005
【図４】
2007257916.tif 000006
【図５】
2007257916.tif 000007
【図６】
2007257916.tif 000008
【図７】
2007257916.tif 000009
【図８】
2007257916.tif 000010
【図９】
2007257916.tif 000011
【図１０】
2007257916.tif 000012
【図１１】
2007257916.tif 000013
【図１２】
2007257916.tif 000014